(57)【要約】【課題】計算機によって、インクジェット印刷機における、位置に関連する濃淡度のばらつきを補償する方法である。【解決手段】インクジェット印刷機のラスター・イメージ・プロセッサの較正において、印刷画像のラスタライズされるべき色分解版の、ルックアップテーブルを用いて特定されたグレースケール値に、特定のラスターパターンが割り当てられ、このラスターパターンは、計算機によって、印刷画像のラスタライズに使用され、ラスタライズされた印刷画像が、インクジェット印刷機上で印刷される。この方法は、ルックアップテーブルが、付加的な変数として、インクジェット印刷機の印刷ヘッドの各印刷ノズルの位置を含んでおり、印刷ノズルの各位置に対して、割り当てられた、整合されたラスターパターンを伴うグレースケール値の完全なセットが、それぞれ、計算機によってルックアップテーブルに記入されることを特徴とする。【選択図】図４
2019199082.tif 000002
【特許請求の範囲】
【請求項１】
計算機（１）によって、インクジェット印刷機（３）における、位置に関連する濃淡度のばらつき（８）を補償する方法であって、
前記インクジェット印刷機（３）のラスター・イメージ・プロセッサ（２）の較正において、印刷画像のラスタライズされるべき色分解版の、ルックアップテーブル（６，６ａ）を用いて特定されたグレースケール値に、特定のラスターパターン（７）が割り当てられ、
前記ラスターパターン（７）は、前記計算機（１）によって、前記印刷画像のラスタライズに使用され、ラスタライズされた前記印刷画像（４）が、前記インクジェット印刷機（３）上で印刷される方法において、
前記ルックアップテーブル（６ｂ）は、付加的な変数として、前記インクジェット印刷機（３）の印刷ヘッドの各印刷ノズルの位置を含んでおり、印刷ノズルの各位置に対して、割り当てられた、整合されたラスターパターン（７）を伴うグレースケール値の完全なセットは、それぞれ、前記計算機（１）によって前記ルックアップテーブル（６ｂ）に記入される、
ことを特徴とする方法。
【請求項２】
前記ルックアップテーブル（６ｂ）における、印刷ノズルの各位置に対する、グレースケール値へのラスターパターン（７）の整合された前記割り当ては、それぞれ、各前記印刷ノズルの濃淡度のばらつき（８）に関連している、
請求項１記載の方法。
【請求項３】
前記インクジェット印刷機（３）の前記印刷ノズルの濃淡度のばらつき（８）は、特にテスト測定によって作成された濃淡度プロファイルによって表され、前記濃淡度プロファイルは、前記ルックアップテーブル（６ｂ）における、印刷ノズルの各位置に対する、前記グレースケール値への前記ラスターパターン（７）の割り当てを計算するために、前記計算機（１）によって使用される、
請求項２記載の方法。
【請求項４】
前記計算機（１）は、隣接する印刷ノズル位置の領域に対して、それぞれ、前記ルックアップテーブル（６ｂ）において、割り当てられた、整合されたラスターパターン（７）を伴う同じグレースケール値セットを使用する、
請求項２または３記載の方法。
【請求項５】
前記ルックアップテーブル（６ｂ）において、割り当てられた、整合されたラスターパターン（７）を伴う同じグレースケール値セットは、平均値に整合されたラスターパターン（７）を使用し、
前記平均値は、前記領域の前記印刷ノズルの濃淡度のばらつき（８）に関連している、
請求項４記載の方法。
【請求項６】
前記計算機（１）は、多色印刷の場合に、本発明の方法を各色分解版に対して実行する、
請求項１から５までのいずれか１項記載の方法。
【請求項７】
前記ルックアップテーブル（６ｂ）において、それぞれ１２ビットのラスターパターン（７）は、８ビットのグレースケール値に割り当てられ、これによって、４０９６個のラスターパターン（７）は、それぞれ２５６個のグレースケール値に相対する、
請求項１から６までのいずれか１項記載の方法。
【請求項８】
比較的高いグレースケール値に、等間隔の標準的な分布に相応する場合よりも、より低いラスターパターン（７）が前記計算機（１）によって割り当てられることによって、最大インク制限が行われる、
請求項７記載の方法。
【発明の詳細な説明】
【技術分野】
【０００１】
本発明は、インクジェット印刷機における、位置に関連する濃淡度のばらつきを補償する方法に関する。
【０００２】
本発明は、インクジェット印刷の技術分野に属する。
【背景技術】
【０００３】
インクジェット印刷における本質的な質の特徴は、一義的な、明瞭に定められた、画像コンテンツ／主題の画像化を実現することである。ここでは、印刷可能なフォーマット内のすべての箇所での画像化が同じ結果をもたらすべきであり、これには印刷の場所的な均一性が必要である。インクジェット印刷において、印刷方向（Ｘトラック）に対して横向きに、このような要求されている均一性を保証するのは困難である。インクジェット印刷ヘッドは一般的に、個々のノズルの噴射に対してある程度のばらつきを示す。この原因は、製造におけるばらつき、ノズルのインク供給におけるばらつき、ピエゾアクチュエータの機械的なばらつき等である。これらすべてが、同一のノズル負荷のもとでの印刷ヘッドを介した濃淡度もしくは色調の不均一性を結果として生じさせる。
【０００４】
このような問題は、濃淡度補償方法によって解決される。すべてのノズルの駆動制御が一様である場合の濃淡度の不均一性は、ある程度の数の網点面積率に対するテストフォームによって検出される。印刷方向に対して横向きの経過に基づいて補償プロファイルが求められ、印刷プロセスにおいて相応に用いられ、最終的にこれを介して均一な画像化が実現される。
【０００５】
従来技術から、インクジェット印刷機における濃淡度補償のテーマに関して、米国特許出願公開第２０１２／００８１４４４号明細書（ＵＳ２０１２／００８１４４４Ａ１）が知られている。これは、濃淡度のばらつきを補償する方法を開示しており、ここでは、第１の画像が印刷され、この第１の画像は次に、使用者によって、濃淡度のばらつきが生じている可能性があるか否かについて調べられる。このような濃淡度のばらつきが確認され、その程度および広がりが特定され、次に、修正テーブルを用いて、計算機支援されて補償される。次に、このような修正テーブルによって第２の画像が作成され、この第２の画像が印刷され、同様に、濃淡度のばらつきが依然として生じているか否かに関して調べられる。相応する変更が有効であることが判明すると、有効であることが突き止められた修正値がテーブルに記入され、局部的な濃淡度のばらつきの継続的な修正のために、本刷りにおいて使用される。
【０００６】
濃淡度のばらつきの問題を解決するために、従来技術では一般的に、２つの異なるアプローチが既知であり、これらのアプローチは既存の印刷システムにおいて使用もされている。
【０００７】
１．ラスタライズの前の別個の色分解版のグレースケール値画像（連続階調分解版）上での補償（事前補償）
【０００８】
方法：補償プロファイルを用いて、グレースケール値が、分解版において、プロファイルからの自身の目標値、印刷方向に対して横向きの、画像における位置および属する補償値に関連して、印刷において目標値が得られるように修正される。このような情報は、離散的にのみ、例えば１０個の網点面積率等に対してのみ存在しているので、要求されているパラメータを画像化するために補間方法が使用される。個々の色分解版の修正後に始めて、これらがラスタライズされる。
【０００９】
利点：このようにして、ラスターの画像化特性が保持され、特に粒状性、ノイズ、経過等が悪影響を受けることはない。計算に必要な網点面積率は、高い分解能を有する画像コンテンツを介して既知であり、方法２とは異なり、特別に求められる必要はない。
【００１０】
欠点：補償は、ラスタライズの前に行われなければならない。すなわち、補償プロファイルにおける変更は、再度のラスタライズ過程を要する。これには比較的時間がかかり、オンラインでのみ行われる。印刷方向に対して横向きの印刷画像のシフト、ひいては印刷ユニットに対して相対的な印刷画像のシフトは同様に、再度のラスタライズを要する。これとは逆に、元来、ラスタライズの後に、横向きの見当の変更または印刷方向に対して横向きの、装置内での枚葉紙の位置の変更もしくは印刷方向に対して横向きのウェブの位置の変更を行うことはできない。なぜなら、局部的な補償強度は画像とともに、印刷ヘッドに対して相対的にシフトし、もはや正確に割り当てられていないからである。さらに、色値は通常、８ビットの分解能においてのみ存在する。これは、同様に８ビットの目標値領域における画像化の使用時に、量子化作用を生じさせる。したがって入力値は、適切な変換によって、より高い分解能の値領域に変えられなければならない。
【００１１】
このようなアプローチの例は、米国特許出願公開第２０１０／０３２１４３４号明細書（ＵＳ２０１０／０３２１４３４Ａ１）に開示されている。これは、濃淡度のばらつきを補償する、インクジェット印刷機の較正方法を示している。ここに記載されている方法は相応に、存在しているグレースケール値の整合に関し、すなわち、上述した第１のアプローチに相当する。
【００１２】
２．個々の色分解版における既にラスタライズされている画像上での補償（オンライン補償）
【００１３】
方法：この方法では濃淡度補償は、ラスタライズされた色分解版に基づいて行われる。画像における補償されるべき箇所に対して、まずは、ラスターに基づいて、存在している網点面積率が求められる。これは、画像情報を介して高い分解能で行われるのではなく、マトリクス、例えば３×９ピクセルにわたったウィンドウを用いて、ラスタライズされた画像、すなわち網点の数の平均化を介して計算される。次にこの網点面積率によって、補間を介して、属する補償プロファイルもしくは局部的な値が計算され、画像目標値が得られるように、ピクセル値、分布および強度が整合される。このような過程は、オンラインで、印刷プロセスの間に行われる。画像値の上昇および下降は、ドットの設定もしくは削除を介して行われる、またはドットサイズの上昇または下降は、噴射されるインク滴量を介して行われる。
【００１４】
利点：このような補償過程は、オンラインで行われ、極めて迅速に、その場で行うことが可能である。このような補償過程は、印刷過程の中断を必要としない。ヘッドに対して相対的な画像のシフトを、例えば見当の変更時には、問題なく行うことができる。
【００１５】
欠点：スライドウィンドウを介した局部的な網点面積率の算出は、面積要素の縁部で、または線要素において、この方法と組み合わされて、アーチファクトを生じさせ得る。修正措置を介した、ラスタライズされた画像におけるこの介入によって、ラスターが変えられる。これは特に、比較的強い修正が行われる場合には、構造、粒状性、ノイズまたは別のアーチファクトの形態で目立ち、妨害になる。ラスターアルゴリズムは、一般的に、画像特性に関して最適化される。これは例えば、均一性、分解能、滑らかさ、ロバスト性等である。ラスターの様式における介入は、質の低下を生じさせ得る。
【００１６】
インクジェット印刷における別の問題は、いわゆる空白行である。すなわち、個々の印刷ノズルの機能低下、むしろ故障によって生じるストリップ状の、印刷方向におけるアーチファクトである。このようなエラー画像に対して、補償のための固有のアプローチが存在する。これは、濃淡度の差の補償に並行して、同様に、その場で、ラスタライズされた画像において、印刷過程の間に行われ得る。補償されるべき空白行が局部的に重なっている場合には、ここで濃淡度の補償は特に困難であり、しばしば眼に見える不均一性が残ってしまう。したがって、空白行の補償は、濃淡度のばらつきの補償にも影響を与えてしまう。したがって、発生している空白行もしくはその補償のための措置は、局部的に発生している濃淡度のばらつきの補償方法においても、相応に考慮されなければならない。
【発明の概要】
【発明が解決しようとする課題】
【００１７】
したがって、本発明の課題は、これまでに知られている方法よりも効率的であり、かつ改良された補償を行うことができる、インクジェット印刷機において、発生している濃淡度のばらつきを補償する方法を開示することである。
【課題を解決するための手段】
【００１８】
上述の課題は、計算機によって、インクジェット印刷機における、位置に関連する濃淡度のばらつきを補償する方法によって解決される。この方法では、インクジェット印刷機のラスター・プロセッサの較正において、印刷画像のラスタライズされるべき色分解版の、ルックアップテーブルを用いて特定されたグレースケール値に、特定のラスターパターンが割り当てられる。このラスターパターンは、計算機によって、印刷画像のラスタライズに使用され、ラスタライズされた画像が、インクジェット印刷機上で印刷される。この方法は、ルックアップテーブルが、付加的な変数として、インクジェット印刷機の印刷ヘッドの各印刷ノズルの位置を含んでおり、印刷ノズルの各位置に対して、割り当てられた、整合されたラスターパターンを伴うグレースケール値の完全なセットが、それぞれ、計算機によってルックアップテーブルに記入されるという特徴を有している。本発明の方法は、ラスタライズプロセスに使用されるラスターの較正がいずれにせよ必要であるという事実に基づいている。これまでのように、ラスタライズにおいて、各グレースケール値に特定のラスターパターンを割り当てるルックアップテーブルが使用される代わりに、ラスタライズプロセスに、付加的に、各印刷ノズルの位置が供給される。これによって、較正のプロセス、つまり特定のラスターパターンへの特定のグレースケール値の割り当てが、各印刷ノズルの性能に関連して行われる。印刷ノズルが、例えば期待されていたのよりもいくらか弱く印刷を行い、これによって濃淡度補償において、より強いインク塗布が必要である場合、この印刷ノズルに対して、相応に増大されたインク塗布を伴う、相応するラスターが割り当てられ、これによって、濃淡度のばらつきの作用が補償される。すなわち、いずれにせよ必要な較正が同時に用いられ、これによって局部的な濃淡度のばらつきも補償される。このためには当然、個々の印刷ノズルの濃淡度のばらつきが、較正の前に既知であることが必要である。このために、個々の印刷ノズルの濃淡度のばらつきが相応に、事前に計測されなければならない。しかし濃淡度補償は継続的に実行されなければならないので、個々の印刷ノズルの濃淡度のばらつきに対する目下の値の規則的な特定が、いずれにせよ規則的に必要になる。可能な変数として各印刷ノズルの位置をルックアップテーブルへ挿入することによってさらに、マトリクスの形態でのルックアップテーブルの拡張が生じる。すなわち、もはや、各グレースケール値に特定のラスターを割り当てるルックアップテーブルは存在せず、ｎ個のルックアップテーブルが存在し、ここでｎは、各印刷ノズルの使用されている位置の数に関連している。
【００１９】
この方法の有利な発展形態は、属する従属請求項ならびに属する図面を用いた説明から明らかになる。
【００２０】
本発明の方法の有利な発展形態では、ルックアップテーブルにおける、印刷ノズルの各位置に対する、グレースケール値へのラスターパターンの整合された割り当てはそれぞれ、各印刷ノズルの濃淡度のばらつきに関連している。このような整合された割り当てによって、各印刷ノズルが有している、局部的に発生している濃淡度のばらつきを、ラスターの較正によって既に効率的に補償することができることが保証される。例えば、相応する印刷ノズルが、印刷画像において、過度に少ない色値を結果として生じさせる、過度に少ないインク吐出を有している場合、所望のグレースケール値へのラスターの整合された割り当てによって、この濃淡度のばらつきが補償される。較正時には、濃淡度のばらつき、このケースでは過度に少ない、結果として生じる色値が既知であるので、この印刷ノズル、つまりこの位置に対して、相応するグレースケール値に対して、通常の場合よりも高いラスター値が使用される。これによって、印刷ノズルの機能低下が相応に補償される。
【００２１】
本発明の方法の別の有利な発展形態では、インクジェット印刷機の印刷ノズルの濃淡度のばらつきが濃淡度プロファイルによって表され、これは、ルックアップテーブルにおける、印刷ノズルの各位置に対する、グレースケール値へのラスターパターンの割り当てを計算するために、計算機によって使用される。本発明の方法では、印刷ノズルの濃淡度のばらつきは、当然、既知でなければならない。較正時、すなわち較正におけるラスターパターンのグレースケール値への割り当て時の使用には、濃淡度プロファイルの使用が最も適している。濃淡度プロファイルは通常、テスト測定によって、本発明の方法の前段階において作成される。これは、どの印刷ノズルもしくはどの印刷ノズル領域がどのようなインク吐出によって印刷を行い、ひいては各印刷ノズルが結果として生じるどのような色値を生じさせるのかを正確に示す。したがって、作成された濃淡度プロファイルは、使用されている印刷ノズルもしくは使用されている各インクジェット印刷ヘッドの相応する濃淡度のばらつきを含んでいる。
【００２２】
本発明の方法の別の有利な発展形態では、計算機は、隣接する印刷ノズル位置の領域に対して、それぞれ、ルックアップテーブルにおいて、割り当てられた、整合されたラスターパターンを伴う同じグレースケール値セットを使用する。印刷ノズルの各位置に対して固有のルックアップテーブルが使用される必要がない場合、もしくは印刷ノズルの各位置に対して固有のルックアップテーブルが使用されるべきではない場合、複数の隣接する印刷ノズル位置もそれぞれ、相応に割り当てられたラスターパターンを伴う同じグレースケール値セットに割り当て可能である。このようなケースは、例えば、濃淡度のばらつきがむしろ活発に生じない場合、すなわち、ある印刷ノズルから次の印刷ノズルへ、大きい濃淡度のばらつきが発生しない場合に、生じる。別の点は、必要なデータ管理コストが低く保たれることである。これは各印刷ノズル位置に固有のルックアップテーブルが割り当てられるのではなく、複数の隣接する印刷ノズルが、相応する値の対である、グレースケール値対ラスターパターンを伴う１つのルックアップテーブルを共用することによって行われる。これによって、格段に効率的な較正が可能になる。なぜなら、データ管理コストが相応に低減されるからである。
【００２３】
本発明の方法の別の有利な発展形態では、ルックアップテーブルにおいて、割り当てられた、整合されたラスターパターンを伴う同じグレースケール値セットは、平均値に整合されたラスターパターンを使用する。ここでこの平均値は、この領域の印刷ノズルの濃淡度のばらつきに関連している。さらにこのアプローチは、隣接する印刷ノズル位置の領域が、ルックアップテーブルにおいて、それぞれ、割り当てられたラスターパターンを伴う同じグレースケール値セットだけを共用するのではなく、これに加えて、相応に割り当てられたラスターパターンが平均値に整合されていることを可能にする。これは、この領域の印刷ノズルの濃淡度のばらつきに関連している。これによって、ルックアップテーブルにおいて、整合されたラスターパターンのセットを共用する、印刷ノズル位置の領域が、新たなルックアップテーブルを伴う次の領域に移行するときに、突発的に切り替わることがなくなる。すなわち、平均値の使用は移行を穏やかにし、これによって、激しい移行によって生じ得るアーチファクトが相応に低減される。
【００２４】
本発明の方法の別の有利な発展形態では、計算機は、多色印刷の場合に、本発明の方法を各色分解版に対して実行する。多色印刷の場合には、各色分解版に対して、値の対である、グレースケール値および割り当てられたラスターパターンならびに色分解版の印刷を担う各印刷ノズルの位置を伴うルックアップテーブルを伴う固有のマトリクスが作成され、使用される。
【００２５】
本発明の方法の別の有利な発展形態では、ルックアップテーブルにおいて、それぞれ１２ビットのラスターパターンが８ビットのグレースケール値に割り当てられ、これによって、４０９６個のラスターパターンが、それぞれ２５６個のグレースケール値に相対する。すなわちルックアップテーブルでは、量子化が行われる。ここでは、２５６個のグレースケール値のそれぞれに、１２ビットのラスターパターンのプールから、すなわち４０９６個のラスターパターンから、相応する、このグレースケール値に最も適しているラスターパターンが割り当てられる。理論的には、他のビットで暗号化されたグレースケール値も可能である。本発明の方法では、各グレースケール値およびラスターパターンの数は、二次的な役割しか果たさない。印刷ノズルの特定の位置または位置の領域にそれぞれ、特定のラスターパターンが割り当てられ、これによって、較正と濃淡度のばらつきの補償が同時に実行されることが重要である。例えば４０９６個のラスターパターンが使用されるのではなく、別の数のラスターが使用される場合に、これを問題なく行うことができる。
【００２６】
本発明の方法の別の有利な発展形態では、最大インク制限が行われる。これは、比較的高いグレースケール値に、等間隔の標準的な分布に相応する場合よりも、より低いラスターパターンが計算機によって割り当てられることによって行われる。インクジェット印刷はいわゆる最大インク制限を知っている。なぜなら、オフセット印刷の場合とは異なり、ほぼ制限されていない色分解版が相互に重ねて印刷されることがないからである。印刷基材の特定の箇所での過度に多いインクは、悪影響を生じさせる。これは例えば、乾燥特性または印刷基材の状態に関する悪影響である。最大インク制限は、較正において、極めて容易に実行される。比較的高いグレースケール値、例えば最高のグレースケール値２５５に、極めて高いインク出現、例えば最大値４０９５を伴う相応に比較的高いラスターパターンが割り当てられる代わりに、ここでは、介入が行われる。値４０９５は結果として、最大インク制限を既に上回る程度の高いインク出現を生じさせるだろう。したがって、較正では、比較的高いグレースケール値に、１２ビットのラスターパターン上での８ビットのグレースケール値の実行時の等間隔の間隔に相応するこのような比較的高いラスターパターンが割り当てられるのではなく、相応により低いラスターパターンが使用される。グレースケール値２５５に対しては、例えば数３１７２のラスターパターンも十分である。ここで重要なので、これに伴って必要な、相応に高いグレースケール値に割り当てられている個々のラスターパターンの間の間隔の低減が、次のように実行されることである。すなわち、色忠実度、つまり相応する印刷タスクの得られるべき目標色値が得られ続けるように実行されることである。
【００２７】
本発明自体ならびに構造的かつ／または機能的に有利な本発明の発展形態を以降で、属する図面を参照して、少なくとも１つの有利な実施例に基づいて詳細に説明する。図面では、相応する要素に、それぞれ同じ参照符号が付けられている。
【図面の簡単な説明】
【００２８】
【図１】インクジェット印刷機システムの構造の例
【図２】通常のラスタープロセスの例
【図３】較正を伴うラスタープロセスの例
【図４】較正と濃淡度補償を伴うラスタープロセスの例
【図５】本発明の方法の概略的なフロー
【発明を実施するための形態】
【００２９】
本発明の方法は、特定のワークフローシステム内にあるインクジェット印刷機３において使用される。このようなワークフローシステムは、図１に例示されている。このワークフローシステムは、１つまたは複数の計算機１上で実行される。この計算機を介して相応する印刷タスク５が処理される。インクジェット印刷機３上で印刷されるべき印刷タスク５は、ここで、ラスター・イメージ・プロセッサ２によってラスタライズされ、ラスター・イメージ・プロセッサ２から、ラスタライズされた印刷画像４が、インクジェット印刷機３に、相応する本刷りのために転送される。同様に計算機１上で動作するラスター・イメージ・プロセッサ２は、ここで、前段階画像の個々の色分解版のグレースケール値と、その上にラスタライズされた印刷画像４が生じる、相応するラスターパターン（７）と、の間で本発明の較正を実行する。インクジェット印刷機３における、発生している局部的な濃淡度のばらつき８の本発明に相応する補償は、同様にラスター・イメージ・プロセッサ２において行われる。
【００３０】
図５には、本発明の方法の有利な実施形態を再度、そのフローに関して概略的に示す。はじめに、各インクジェット印刷機３の相応する濃淡度のばらつき８が計測される。この際に、このインクジェット印刷機３に対する、相応する濃淡度プロファイルが作成される。このようなデータおよび印刷タスク５の相応する前段階データによって、ラスターパターン（７）の較正が処理される。ここでこの較正において、インクジェット印刷機３の発生している濃淡度のばらつき８の補償も実行される。これは、相応するルックアップテーブル６ｂの作成によって行われる。このルックアップテーブルは、マトリクス状に、グレースケール値と相応に整合されているラスターパターン（７）との間の値の対だけを含むのではなく、付加的に、別のパラメータとして、インクジェット印刷機３の使用されている印刷ヘッドの相応する印刷ノズルの位置も含む。すなわち、ルックアップテーブル６ｂのマトリクスが作成され、極端な場合には、印刷ノズルの各位置に対して、固有のルックアップテーブル６ｂが作成される。図２から図４では、このようなルックアップテーブル６、６ａ、６ｂの構造が詳細に示されている。
【００３１】
図２は、較正を伴わないラスタライズのフローを示している。０から２５５の各グレースケール値に、特定のラスターパターン（７）が割り当てられていることが良好に見て取れる。４０９６個の異なるラスターパターン（７）が存在し、これらは、インクジェット印刷機３が供給するインク滴の大きさの数と、個々のラスターパターン（７）が有している個々のラスターピクセルと、から生じる。ラスター・イメージ・プロセッサ２におけるルックアップテーブル６は、ここで、まだラスタライズされていない印刷画像において発生している各グレースケール値に、特有のラスターパターン（７）を割り当てる。較正が行われない場合には、この割り当て時の相応する歩幅は等間隔である。すなわち、例えばグレースケール値０にラスターパターン０が割り当てられる。なぜなら、グレースケール値０は、相応する色がないことに相当し、これに相応して当然、割り当てられたラスターパターン（７）においてピクセルが設定されてはいけないからである。ここでグレースケール値１はラスターパターン１６に相当し、これはラスターパターン４０９５に相当するグレースケール値２５５まで続く。個々の歩幅の間の間隔はここで、分解能もしくは前段階画像とラスター画像４との間の分解能の差に関連している。８ビットのグレースケール値と１２ビットのラスターパターンのこれらの値では、これは相応に１６になる。
【００３２】
図３には、較正と挿入されたインク制限とを伴うラスタライズが例示的に示されている。この方法は、較正を伴わない方法に相当するが、ここではもはや、グレースケール値に対するラスターパターン（７）の個々の割り当ての間の等間隔の間隔は存在せず、割り当ては相応に整合されている。したがって例えば、最大のグレースケール値２５５は、もはやラスターパターン４０９５に相当するのではなく、ラスターパターン３１７２に相当する。これによって、印刷における最大のインク塗布が、許容されない値にまで上昇しないことが保証される。較正では、相応するグレースケール値に割り当てられている個々のラスターパターン（７）の間の間隔が、グレースケール値毎に任意に整合されてよい。整合がどのように正確に行われるかは、該当するインクジェット印刷機３もしくは処理されるべき印刷タスク５の状態に関連している。
【００３３】
図４は同様に、本発明に相応に、較正が、濃淡度のばらつきの補償にどのように相応に整合されるのかを示している。ここでは、もはや、グレースケール値０から２５５が相応に整合されて特定のラスターパターン（７）を使用する個々のルックアップテーブル６、６ａは存在しておらず、ここでは付加的に、グレースケール値の他に、作成された濃淡度プロファイルからの各印刷ノズルの位置が考慮される。この作成された濃淡度プロファイルは、インクジェット印刷機３の濃淡度のばらつき８を有している。ノズル位置Ｘに対して、例えばグレースケール値０から２５５のセットが、ラスターパターン０から４０９５の相応するセットに割り当てられる。次の印刷ノズルＸ＋１に対しては、グレースケール値０から２５５の別のセットが、相応するラスターパターン（７）に割り当てられる。印刷タスク５に関与しており、ひいては濃淡度のばらつきを補償するすべての印刷ノズルに対して、値の対である、グレースケール値対ラスターパターン（７）の相応するセットが作成される。
【００３４】
特別な実施形態では、ルックアップテーブル６ｂの作成は、目下の印刷タスク５のデータを伴わずに可能である。本発明の濃淡度のばらつき補償に必要なのは、インクジェット印刷機３の局部的な濃淡度のばらつき８を含んでいる、作成された濃淡度プロファイルだけである。
【００３５】
ラスター・イメージ・プロセッサ２が本発明に相応に較正される場合には、個々の印刷ノズルの位置を考慮する、このように作成されたルックアップテーブル６ｂによって、各印刷タスク５がラスタライズされる。ここから作成された、ラスタライズされた印刷画像４は、これによって既に、該当するインクジェット印刷機３の濃淡度のばらつき８の機械特有の補償を含んでいる。これによって、相応にラスタライズされた印刷画像４を既に濃淡度補償して印刷することができる。
【符号の説明】
【００３６】
１  計算機
２  ラスター・イメージ・プロセッサ（ＲＩＰ）
３  インクジェット印刷機
４  ラスタライズされた印刷画像
５  印刷タスク
６  ルックアップテーブル（ＬｕＴ）
６ａ  較正されたルックアップテーブル（ＬｕＴ）
６ｂ  位置に関連する、較正されたルックアップテーブル（ＬｕＴ）のマトリクス
７  ラスターパターン
８  濃淡度のばらつき
【図１】
2019199082.tif 000003
【図２】
2019199082.tif 000004
【図３】
2019199082.tif 000005
【図４】
2019199082.tif 000006
【図５】
2019199082.tif 000007
【外国語明細書】
2019199082.tif 000008
2019199082.tif 000009
2019199082.tif 000010
2019199082.tif 000011
2019199082.tif 000012
2019199082.tif 000013
2019199082.tif 000014
2019199082.tif 000015
2019199082.tif 000016
2019199082.tif 000017
2019199082.tif 000018
2019199082.tif 000019
2019199082.tif 000020
2019199082.tif 000021
2019199082.tif 000022
2019199082.tif 000023
2019199082.tif 000024
2019199082.tif 000025
2019199082.tif 000026
2019199082.tif 000027
2019199082.tif 000028